(57)【要約】【課題】対物レンズの交換が簡単な顕微鏡を提供する。【解決手段】顕微鏡（１００）は、対物レンズ（４）が着脱可能に取り付けられるレンズマウント（２１）と、対物レンズ（４）に設けられ、マウント（２１）に係合する外向フランジ（３３）と、外向フランジ（３３）に設けられた凹部（３７）と、マウント（２１）に設けられた位置決めピン（２７）と、外向フランジ（３３）に設けられ、外向フランジ（３３）がマウント（２１）に係合したときに位置決めピン（２７）に当接する位置規定ピン（３６）と、マウント（２１）に設けられ、外向フランジ（３３）がマウント（２１）に係合したときにバネ力で付勢され、位置規定ピン（３６）が位置決めピン（２７）に当接する直前に、バネ力により凹部（３７）に入り込む半球形状部（２４ａ）を有する。【選択図】図９
2016170344.tif 000002
【特許請求の範囲】
【請求項１】
対物レンズが着脱可能に取り付けられる顕微鏡本体部を有する顕微鏡であって、
前記顕微鏡本体に設けられ、前記対物レンズが着脱可能に取り付けられるマウントと、
前記対物レンズに設けられ、前記マウントに係合するマウント係合部と、
前記マウント係合部に設けられた第１の凹部と、
前記顕微鏡本体部に設けられた位置決め用の第１の凸部と、
前記対物レンズに設けられ、前記マウント係合部が前記マウントに係合したときに前記第１の凸部に当接する第２の凸部と、
前記顕微鏡本体部に設けられ、前記マウント係合部が前記マウントに係合したときにバネ力で付勢される部材であって、前記第２の凸部が前記第１の凸部に当接する前に、前記バネ力により前記第１の凹部に入り込む被付勢部材と、
を有することを特徴とする顕微鏡。
【請求項２】
前記マウント係合部は、少なくとも１つの突起部を有し、
前記マウントは、円環形状で、前記少なくとも１つの突起部に対応する少なくとも１つの切り欠き部と、前記マウントの内周部に設けられた内周溝を有し、
前記突起部と前記切り欠き部を合わせて、前記マウント係合部を前記マウントの前記内周部に位置させた後、前記対物レンズの中心軸回りの所定の方向に前記対物レンズを回動させて前記少なくとも１つの突起部を前記内周溝に沿って移動させることによって、前記マウント係合部は、前記マウントに係合されることを特徴とする請求項１に記載の顕微鏡。
【請求項３】
前記マウント係合部に設けられた凹部であって、前記少なくとも１つの突起部と前記少なくとも１つの切り欠き部を合わせて、前記マウント係合部を前記マウントの前記内周部に位置させたときに、前記被付勢部材が入り込む第２の凹部を有することを特徴とする請求項２に記載の顕微鏡。
【請求項４】
前記顕微鏡本体部に設けられた凸部であって、前記少なくとも１つの突起部と前記少なくとも１つの切り欠き部を合わせて、前記マウント係合部を前記マウントの前記内周部に位置させた後、前記対物レンズの中心軸回りで前記所定の方向とは反対の方向に前記対物レンズを回動させたときに、前記第２の凸部と当接する第３の凸部を有することを特徴とする請求項２から４のいずれか１つに記載の顕微鏡。
【請求項５】
前記第３の凸部は、前記マウントに設けられていることを特徴とする請求項４に記載の顕微鏡。
【請求項６】
前記第１の凸部は、前記マウントに設けられていることを特徴とする請求項１から５のいずれか１つに記載の顕微鏡。
【請求項７】
前記第２の凸部は、前記マウント係合部に設けられていることを特徴とする請求項１から６のいずれか１つに記載の顕微鏡。
【請求項８】
前記対物レンズには、照明部が設けられていることを特徴とする請求項１から７のいずれか１つに記載の顕微鏡。
【請求項９】
前記照明部は、電源用ケーブルを有し、
前記電源用ケーブルの先端には、コネクタを有することを特徴とする請求項８に記載の顕微鏡。
【請求項１０】
前記照明部は、前記対物レンズに対して取り外し可能であることを特徴とする請求項８又は９に記載の顕微鏡。
【請求項１１】
前記マウントは、前記顕微鏡本体に対して取り外し可能な構成を有することを特徴とする請求項１から１０のいずれか１つに記載の顕微鏡。
【請求項１２】
前記マウント係合部は、前記対物レンズに対して取り外し可能な構成を有することを特徴とする請求項１から１１のいずれか１つに記載の顕微鏡。
【請求項１３】
対物レンズであって、
前記対物レンズが着脱可能に取り付けられる顕微鏡本体のマウントに係合するマウント係合部と、
前記マウント係合部に設けられた第１の凹部と、
前記マウント係合部が前記マウントに係合したときに、前記マウントに設けられた位置決め用の第１の凸部に当接する第２の凸部と、
を有し、
前記マウント係合部が前記マウントに係合したときにバネ力で付勢される、前記マウントに設けられた被付勢部材が、前記第２の凸部が前記第１の凸部に当接する前に、前記バネ力により前記第１の凹部に入り込むように、前記第１の凹部は形成されていることを特徴とする対物レンズ。
【請求項１４】
前記マウント係合部は、少なくとも１つの突起部を有し、
前記少なくとも１つの突起部と、前記マウントに設けられた前記少なくとも１つの切り欠き部を合わせて、前記マウント係合部を前記マウントの内周部に位置させた後、前記対物レンズの中心軸回りの所定の方向に前記対物レンズを回動させて前記少なくとも１つの突起部を前記内周部に設けられた内周溝に沿って移動させることによって、前記マウント係合部は、前記マウントに係合されることを特徴とする請求項１３に記載の対物レンズ。
【請求項１５】
前記少なくとも１つの突起部と前記少なくとも１つの切り欠き部を合わせて、前記マウント係合部を前記マウントの前記内周部に位置させたときに、前記被付勢部材が入り込む、前記マウント係合部に設けられた第２の凹部を有することを特徴とする請求項１４に記載の対物レンズ。
【請求項１６】
顕微鏡の顕微鏡本体に設けられ、対物レンズが着脱可能に取り付けられるレンズマウントであって、
位置決め用の第１の凸部と、
前記対物レンズに設けられたマウント係合部が前記マウントに係合したときにバネ力で付勢される部材であって、前記対物レンズに設けられた第２の凸部が前記第１の凸部に当接する前に、前記バネ力により、前記マウント係合部に設けられた第１の凹部に入り込むように設けられた被付勢部材と、
を有することを特徴とするレンズマウント。
【請求項１７】
前記マウント係合部の少なくとも１つの突起部に対応する少なくとも１つの切り欠き部と、
前記マウントの内周部に設けられた内周溝と、
前記少なくとも１つの突起部と前記少なくとも１つの切り欠き部を合わせて、前記マウント係合部を前記マウントの前記内周部に位置させた後、前記対物レンズの中心軸回りの前記所定の方向とは反対の方向に前記対物レンズを回動させたときに、前記第２の凸部と当接する第３の凸部と、を有することを特徴とする請求項１６に記載のレンズマウント。
【請求項１８】
請求項１３に記載の前記対物レンズと、
請求項１６に記載の前記レンズマウントと、
の組合せ。
【発明の詳細な説明】
【技術分野】
【０００１】
本発明は、顕微鏡、対物レンズ、レンズマウント及びそれらの組合せに関し、特に、対物レンズの交換が簡単な顕微鏡、対物レンズ、レンズマウント及びそれらの組合せに関する。
【背景技術】
【０００２】
従来より、対物レンズが交換可能な顕微鏡が広く利用されている。顕微鏡の使用者である観察者は、必要に応じて、対物レンズを交換する。  
一般に、対物レンズは、対物レンズの基端側に形成された雄螺子部を、顕微鏡本体に設けられたレンズマウントに形成された雌螺子部に螺合させることにより、顕微鏡本体に取り付けられる。例えば、特開２０１３−８８６０６号公報に開示の対物レンズの基端側には、螺子山が形成されている。
【０００３】
よって、対物レンズの交換は、対物レンズの鏡筒を、鏡筒の軸回りに回動させて螺合状態を解除することにより取り外し、新たな対物レンズの鏡筒を、鏡筒の軸回りに、取り外し時の回動方向とは逆方向に回動させて対物レンズの雄螺子部とレンズマウントの雌螺子部を螺合させることにより、行われる。すなわち、対物レンズは、レンズマウントに螺合させる所謂螺子込み式である。
【先行技術文献】
【特許文献】
【０００４】
【特許文献１】特開２０１３−８８６０６号公報
【発明の概要】
【発明が解決しようとする課題】
【０００５】
しかし、顕微鏡本体からの対物レンズの取り外し及び顕微鏡本体への対物レンズの取り付けのために、対物レンズを鏡筒の軸回りに回動させる作業は、観察者にとって煩雑であり、対物レンズの交換には、手間が掛かるという問題がある。
【０００６】
そこで、本発明は、対物レンズの交換が簡単な顕微鏡、対物レンズ、レンズマウント及びそれらの組合せを提供することを目的とする。
【課題を解決するための手段】
【０００７】
本発明の一態様の顕微鏡は、対物レンズが着脱可能に取り付けられる顕微鏡本体部を有する顕微鏡であって、前記顕微鏡本体に設けられ、前記対物レンズが着脱可能に取り付けられるマウントと、前記対物レンズに設けられ、前記マウントに係合するマウント係合部と、前記マウント係合部に設けられた第１の凹部と、前記顕微鏡本体部に設けられた位置決め用の第１の凸部と、前記対物レンズに設けられ、前記マウント係合部が前記マウントに係合したときに前記第１の凸部に当接する第２の凸部と、前記顕微鏡本体部に設けられ、前記マウント係合部が前記マウントに係合したときにバネ力で付勢される部材であって、前記第２の凸部が前記第１の凸部に当接する前に、前記バネ力により前記第１の凹部に入り込む被付勢部材と、を有する。
【０００８】
本発明の一態様の対物レンズは、前記対物レンズが着脱可能に取り付けられる顕微鏡本体のマウントに係合するマウント係合部と、前記マウント係合部に設けられた第１の凹部と、前記マウント係合部が前記マウントに係合したときに、前記マウントに設けられた位置決め用の第１の凸部に当接する第２の凸部と、を有し、前記マウント係合部が前記マウントに係合したときにバネ力で付勢される、前記マウントに設けられた被付勢部材が、前記第２の凸部が前記第１の凸部に当接する前に、前記バネ力により前記第１の凹部に入り込むように、前記第１の凹部は形成されている。
【０００９】
本発明の一態様のレンズマウントは、顕微鏡の顕微鏡本体に設けられ、対物レンズが着脱可能に取り付けられるレンズマウントであって、位置決め用の第１の凸部と、前記対物レンズに設けられたマウント係合部が前記マウントに係合したときにバネ力で付勢される部材であって、前記対物レンズに設けられた第２の凸部が前記第１の凸部に当接する前に、前記バネ力により、前記マウント係合部に設けられた第１の凹部に入り込むように設けられた被付勢部材と、を有する
本発明の一態様の組合せは、本発明の一態様の対物レンズと、本発明の一態様のレンズマウントと、を有する。
【発明の効果】
【００１０】
本発明によれば、対物レンズの交換が簡単な顕微鏡、対物レンズ、レンズマウント及びそれらの組合せを提供することができる。
【図面の簡単な説明】
【００１１】
【図１】本発明の実施の形態の顕微鏡の構成を概略的に示す外観構成図である。
【図２】本発明の実施の形態に関わる、レンズマウント２１の斜め下から見たレンズマウント２１の斜視図である。
【図３】本発明の実施の形態に関わる、レンズマウント２１の上から見たレンズマウント２１の平面図である。
【図４】図３のＩV−ＩV線に沿ったレンズマウント２１の断面図である。
【図５】本発明の実施の形態に関わる対物レンズ４の斜め上から見た対物レンズ４の斜視図である。
【図６】本発明の実施の形態に関わる対物レンズ４の上面側から見た対物レンズ４の平面図である。
【図７】本発明の実施の形態に関わる対物レンズ４の側面図である。
【図８】本発明の実施の形態に関わる、対物レンズ４の中心軸を通る平面に沿った対物レンズ４の断面図である。
【図９】本発明の実施の形態に関わる、マウント２１への対物レンズ４の取り付け時の、マウント２１と、対物レンズ４の外向フランジ３３の突起部３４の位置関係を説明するための図である。
【図１０】本発明の実施の形態に関わる、レンズマウント２１の下面側から見たレンズマウント２１の模式的底面図である。
【図１１】図１０のＸＩ−ＸＩ線に沿ったレンズマウント２１の模式的断面図である。
【図１２】図１０のＸＩＩ−ＸＩＩ線に沿ったレンズマウント２１の模式的部分断面図である。
【図１３】本発明の実施の形態に関わる、対物レンズ４の下面側から見た対物レンズ４の模式的底面図である。
【図１４】図１３のＸＩＶ−ＸＩＶ線に沿った対物レンズ４の模式的断面図である。
【図１５】図１３のＸＶ−ＸＶ線に沿った対物レンズ４の模式的部分断面図である。
【図１６】本発明の実施の形態に関わる、対物レンズ４の外向フランジ３３のマウント２１内への挿入時における、レンズマウント２１の下面側から見たレンズマウント２１と対物レンズ４の模式的底面図である。
【図１７】図１６のＸＶＩＩ−ＸＶＩＩ線に沿ったレンズマウント２１と対物レンズ４の模式的断面図である。
【図１８】本発明の実施の形態に関わる、対物レンズ４の外向フランジ３３のマウント２１内への挿入時における、図１０のＸＩＩ−ＸＩＩ線に沿ったレンズマウント２１と、レンズマウント２１に対向する対物レンズ４の外向フランジ３３の一部の模式的部分断面図である。
【図１９】本発明の実施の形態に関わる、対物レンズ４の外向フランジ３３をマウント２１内へ挿入した後に、対物レンズ４を所定の方向に回動したときにおける、レンズマウント２１の下面側から見たレンズマウント２１と対物レンズ４の模式的底面図である。
【図２０】図１９のＸＸ−ＸＸ線に沿ったレンズマウント２１と対物レンズ４の模式的断面図である。
【図２１】図１９のＸＸＩ−ＸＸＩ線に沿ったレンズマウント２１と対物レンズ４の模式的断面図である。
【図２２】本発明の実施の形態に関わる、対物レンズ４の外向フランジ３３のマウント２１内への挿入した後に、対物レンズ４を所定の方向に回動したときにおける、図１０のＸＩＩ−ＸＩＩ線に沿ったレンズマウント２１、レンズマウント２１に対向すると対物レンズ４の外向フランジ３３の一部の模式的部分断面図である。
【図２３】本発明の実施の形態に関わる、対物レンズ４の回動が規制されて停止したときにおける、レンズマウント２１の下面側から見たレンズマウント２１と対物レンズ４の模式的底面図である。
【図２４】図２３のＸＸＩＶ−ＸＸＩＶ線に沿ったレンズマウント２１と対物レンズ４の模式的断面図である。
【図２５】本発明の実施の形態に関わる、対物レンズ４の回動が規制されて停止したときにおける、図１０のＸＩＩ−ＸＩＩ線に沿ったレンズマウント２１と、レンズマウント２１に対向する対物レンズ４の外向フランジ３３の一部の模式的部分断面図である。
【図２６】本発明の実施の形態の変形例４に関わる、リング照明部付きの対物レンズの構成を示す対物レンズ４Aの側面図である。
【発明を実施するための形態】
【００１２】
以下、図面を参照して本発明の実施の形態を説明する。
（顕微鏡の構成）
図１は、本発明の実施の形態による顕微鏡の構成を概略的に示す外観構成図である。図１は、顕微鏡１００の側面を示す。
【００１３】
顕微鏡１００は、顕微鏡用架台１と、焦準装置２と、ズーム本体３と、対物レンズ４と、鏡筒５と、接眼レンズ６とを有して構成されている。  
顕微鏡用架台１は、水平方向に配置されたベース部１ａと、このベース部１ａに対して直立して設けられた支柱部１ｂとを有する透過照明架台である。支柱部１ｂには焦準装置２が設けられている。
【００１４】
焦準装置２は、図示しない焦準機構を内蔵しており、固定部２ａと、可動部２ｂと、焦準ハンドル２ｃを有している。焦準装置２の焦準機構は、焦準ハンドル２ｃの操作に応じて固定部２ａに対して可動部２ｂを上下動させる。
【００１５】
焦準装置２の可動部２ｂにはズーム本体３が設けられており、ズーム本体３はズームハンドル３ａの操作に応じて変倍を行なうことを可能にしている。ズーム本体３の下部には対物レンズ４が着脱可能に取り付けられている。ズーム本体３の上部には鏡筒５が設けられ、鏡筒５には観察用の接眼レンズ６が設けられている。鏡筒５は、対物レンズ４からの光を接眼レンズ６へ導くための光学系を含む。
【００１６】
また、対物レンズ４に対向するベース部１ａの上面には穴部１ａ１が設けられている。穴部１ａ１には、試料８を載置するための光学的に透明な試料載置板であるガラスプレート７がはめ込まれている。ガラスプレート７の下方には、ガラスプレート７に向けてほぼ均一な照明光を射出する面光源１０が設けられている。面光源１０には電源１１が接続され、電源１１には図示しない商用電源が接続されており、図示しないスイッチによって面光源１０に対する電源供給が行なわれる。ガラスプレート７と面光源１０との間には一つの光指向部材９が設けられている。光指向部材９は、面光源１０から射出される照明光の拡散を少なくとも一方向に関して制限する。光指向部材９は、ベース部１ａに形成された図示しない保持部によって支持されている。
【００１７】
続く説明では、便宜上、顕微鏡１００の観察者側から見て左右方向（図１の紙面に垂直方向）をＸ方向、奥行き方向（図１の紙面の左右方向）をＹ方向、高さ方向（図１の紙面の上下方向）をＺ方向とする。
【００１８】
観察者は、接眼レンズ６を覗いた状態で焦準ハンドル２ｃを回動させる操作をして、焦準装置２の可動部２ｂと共にズーム本体３と対物レンズ４をＺ方向に沿って上下動させることにより、ガラスプレート７上の試料８に対する焦点を合わせることができる。また、観察者は、ズームハンドル３ａを回動させてズーム本体３での倍率を変えることにより、観察している試料像の拡大及び縮小を任意の範囲内で行なうことができる。
【００１９】
電源１１のスイッチ（図示しない）をオンにすることにより、面光源１０に電源を供給すると、面光源１０から拡散光が発せられ、光指向部材９を透過した光がガラスプレート７上の試料８を照明する。
【００２０】
ズーム本体３には、対物レンズ４を取り付けるためのレンズマウント２１が設けられている。  
なお、ここでは、レンズマウント２１は、ズーム本体３に設けられているが、ズーム機能のない顕微鏡の場合は、レンズマウント２１は、接眼レンズ６へ光を導く鏡筒５に設けられる。
【００２１】
以上のように、顕微鏡１００は、対物レンズ４が着脱可能に取り付けられる顕微鏡本体部であるズーム本体３を有する。
（レンズマウント２１の構成）
図２は、レンズマウント２１の斜め下から見たレンズマウント２１の斜視図である。図３は、レンズマウント２１の上から見たレンズマウント２１の平面図である。図４は、図３のＩV−ＩV線に沿ったレンズマウント２１の断面図である。
【００２２】
レンズマウント２１は、顕微鏡１００の顕微鏡本体であるズーム本体３に設けられ、対物レンズ４が着脱可能に取り付けられる。レンズマウント（以下、マウントともいう）２１は、ステンレスなどの金属製であり、円筒形状を有する。マウント２１の上側外周部には、螺子山が螺旋状に形成されている螺子部２２を有している。螺子部２２は、ズーム本体３側に形成された雌螺子の螺子部（図示せず）に螺合する。マウント２１の下側外周部には、ズーム本体３側の形成された螺子部（図示せず）と螺子部２２とが螺合したときに、ズーム本体３に当接する円環状の凸部２２ａが形成されている。凸部２２ａは、マウント２１の外向フランジを構成する。
【００２３】
マウント２１の上側には、内向フランジ２３が設けられている。内向フランジ２３には、マウント２１をズーム本体３に固定するときに、専用の治具（図示せず）の突起部が嵌入する２つの孔２３ａが形成されている。治具の突起部が２つの孔２３ａに嵌入した状態で、マウント２１を中心軸O1回りに回動させることにより、螺子部２２がズーム本体３側の形成された螺子部（図示せず）に螺合して、マウント２１はズーム本体３に固定される。
【００２４】
内向フランジ２３には、押圧部材２４が複数（ここでは３つ）設けられている。  
各押圧部材２４は、一端には半球形状部２４ａが形成され、他端側には螺子山が形成された螺子部を有する軸部材２４ｃである。軸部材２４ｃは、内向フランジ２３に形成された孔に通されている。軸部材２４ｃの螺子部には、ナット２４ｂが螺合する。押圧部材２４には、複数の皿バネ２４ｄがさらに設けられている。
【００２５】
各皿バネ２４ｄは、複数の円盤状の板部材から構成され、各板部材の中央部に形成された孔に押圧部材２４の軸部材２４ｃが通されている。各ナット２４ｂは、内向フランジ２３の上面側に形成された凹んだ段差部２３ｂに配設され、ナット２４ｂと複数の皿バネ２４ｄにより内向フランジ２３を挟むように、各押圧部材２４は、内向フランジ部２３に取り付けられている。
【００２６】
なお、本実施の形態では、各押圧部材２４は、半球形状部２４ａと複数の皿バネ２４ｄを用いているが、半球形状部２４ａに代えて球体を利用し、複数の皿バネ２４ｄに代えてコイルスプリングを利用したものでもよい。
【００２７】
マウント２１の下側には、内向フランジ２５が設けられている。内向フランジ２３と２５により、マウント２１の内周部には、内周溝２１ａが形成される。内向フランジ２５の内径が、後述する対物レンズ４の、突起部３４を除く外向フランジ３３（図５，図６等参照）の外径よりも小さい。
【００２８】
内向フランジ２５の内周部には、対物レンズ４のマウント２１への取り付け時に、後述する対物レンズ４の外向フランジ３３の複数の突起部３４が内向フランジ２５にぶつからないようにするための複数（ここでは３つ）の切り欠き部２５ａが形成されている。後述するように、各突起部３４が切り欠き部２５ａを通ることにより、対物レンズ４の外向フランジ３３（図５、図６等参照）は、２つの内向フラン２３と２５の間のマウント２１の内周溝２１ａ内に配置させることができる。
【００２９】
以上のように、マウント２１は、円環形状で、対物レンズ４の突起部３４に対応する少なくとも１つの切り欠き部２５ａと、マウント２１の内周部に設けられた内周溝２１ａを有する。
【００３０】
上述した押圧部材２４の半球形状部２４ａは、皿バネ２４ｄにより内向フランジ２３から内向フランジ２５側へ向かって付勢されている。  
内向フランジ２３の下面には、ストッパピン２６と、位置決めピン２７が立設されている。ストッパピン２６と位置決めピン２７は、円環状の内向フランジ２３から下へ向かって突出するように、内向フランジ２３の下面の所定の位置に固定されている。ストッパピン２６は、中心軸O1を中心とする所定の直径の円周上において隣り合う２つの押圧部材２４を結ぶ線分の中央よりもずれた位置に設けられている。すなわち、位置決めピン２７は、顕微鏡本体部であるズーム本体３のマウント２１に設けられた位置決め用の凸部を構成する。
【００３１】
検査対象である試料８からの光は、対物レンズ４を通り、円筒状のマウント２１の中央の孔部をさらに通って、ズーム本体３へ入射される。
（対物レンズ４の構成）
図５は、対物レンズ４の斜め上から見た対物レンズ４の斜視図である。図６は、対物レンズ４の上面側から見た対物レンズ４の平面図である。図７は、対物レンズ４の側面図である。図８は、対物レンズ４の中心軸を通る平面に沿った対物レンズ４の断面図である。
【００３２】
対物レンズ４は、ステンレスなどの金属製で円筒形状を有する鏡筒３１と、鏡筒３１の内部に固設された複数のレンズ３２からなるレンズ群とを有して構成されている。対物レンズ４の上面側には、カバーガラス板などを押さえる円環状の板部材３１ａが固定されている。
【００３３】
鏡筒３１の上面側には、外向フランジ３３が形成されている。外向フランジ３３の外径L2は、マウント２１の内向フランジ２５の内径L1よりも小さい。  
外向フランジ３３の外周部には、複数（ここでは、３つ）の突起部３４が形成されて設けられている。
【００３４】
鏡筒３１の中心軸O2から外径方向における突起部３４の突出量L3は、マウント２１の切り欠き部２５ａを除く内向フランジ２５の内径L1の半径L1/2よりも大きい。しかし、突出量L3は、対物レンズ４のマウント２１への取り付け時に、円筒形状のマウント２１の内向フランジ２５の内周部にはぶつかるが、切り欠き部２５ａにはぶつからないで、外向フランジ３３をマウント２１の内周部へ挿入して配置できる量である。
【００３５】
外向フランジ３３の上面の外周部には、対物レンズ４のマウント２１への取り付け時の基準位置を規定する複数（ここでは３つ）の凹部３５が、中心軸O2の回りの周方向に沿って等間隔、すなわち１２０度間隔、で形成されている。各凹部３５は、円錐形状を有する凹みであり、貫通孔を有する。後述するように、対物レンズ４の各突起部３４をマウント２１の切り欠き部２５ａに位置させた状態で観察者が対物レンズ４をＺ方向に沿ってマウント２１へ押し付けたときに、各押圧部材２４の半球形状部２４ａが円錐形状の凹部３５内に入り込む位置に、各凹部３５は、外向フランジ３３の上面上に形成されている。複数の凹部３５は、対物レンズ４をマウント２１への取り付けときにおけるマウント２１の中心軸O1と対物レンズ４の中心軸O2の軸合わせのために、外向フランジ３３の上面の外周部に形成されている。
【００３６】
さらに、外向フランジ３３の上面の外周部には、対物レンズ４のマウント２１への取り付け時の取り付け位置を規定する位置規定ピン３６が、中心軸O2の回りの周方向に沿って等間隔、すなわち１２０度間隔、で立設されている。ここでは、各位置規定ピン３６は、隣り合う２つの凹部３５の間の中央の位置に設けられている。位置規定ピン３６は、対物レンズ４の外向フランジ３３に設けられ、外向フランジ３３が前記マウント２１に係合したときに位置決めピン２７に当接する凸部を構成する。
【００３７】
さらに、外向フランジ３３の上面の外周部には、対物レンズ４をマウント２１へ取り付けるときに顕微鏡１００の観察者の手にクリック感を感じさせるための複数（ここでは６つ）の凹部３７が、中心軸O2の回りで周方向に沿って形成されている。各凹部３７は、円錐形状を有する凹みであり、貫通孔を有する。各凹部３７の深さは、凹部３５の深さよりも浅い。外向フランジ３３には、凹部３７が設けられており、凹部３７は、皿バネ２４ｄのバネ力で付勢された押圧部材２４の半球形状部２４ａが入り込むことができる凹部である。ここでは、一対の凹部３７は、１つの位置規定ピン３６を挟むように形成されている。
【００３８】
顕微鏡１００のユーザである観察者は、ズーム本体３から対物レンズ４を取り外し、別の対物レンズを取り付けることができる。新たに取り付けられる対物レンズも、上述した対物レンズ４と同様の構造の外向フランジ３３を有している。
（作用）
図９は、マウント２１への対物レンズ４の取り付け時の、マウント２１と、対物レンズ４の外向フランジ３３の突起部３４の位置関係を説明するための図である。
【００３９】
観察者は、点線で示すように、外向フランジ３３の各突起部３４を内向フランジ２５の切り欠き部２５ａに位置させた状態で、対物レンズ４の基端部をマウント２１に対して、マウント２１の下側から当て付けた後、対物レンズ４を中心軸O2回りの所定の方向Dに回動させることによって、対物レンズ４をマウント２１に取り付けて固定することができる。
【００４０】
逆に、観察者は、対物レンズ４を取り付けるときの所定の方向Dとは逆方向に回動させた後、外向フランジ３３の各突起部３４を内向フランジ２５の切り欠き部２５ａに位置させた状態で、対物レンズ４の基端部をマウント２１の下側へ移動させることによって、対物レンズ４をマウント２１から外すことができる。以下、マウント２１への対物レンズ４の取り付けについて、より詳細に説明する。
（対物レンズ４のマウント２１への取り付け）
以下、対物レンズ４のマウント２１への取り付けるときの作用について詳述する。
【００４１】
図１０は、レンズマウント２１の下面側から見たレンズマウント２１の模式的底面図である。図１１は、図１０のＸＩ−ＸＩ線に沿ったレンズマウント２１の模式的断面図である。図１２は、図１０のＸＩＩ−ＸＩＩ線に沿ったレンズマウント２１の模式的部分断面図である。図１０では、押圧部材２４、各ピン２６、２７，３６は、黒丸で示されている。
【００４２】
図１３は、対物レンズ４の下面側から見た対物レンズ４の模式的底面図である。図１４は、図１３のＸＩＶ−ＸＩＶ線に沿った対物レンズ４の模式的断面図である。図１５は、図１３のＸＶ−ＸＶ線に沿った対物レンズ４の模式的部分断面図である。図１３では、レンズ３２の部分は図示していない。
【００４３】
図１６〜図２６は、対物レンズ４をマウント２１に取り付けるときの、レンズマウント２１に対する対物レンズ４の動きを説明するための図である。
（対物レンズ４の外向フランジ３３のマウント２１内への挿入）
図１６〜図１８は、対物レンズ４の外向フランジ３３のマウント２１内への挿入時の状態を説明するための図である。
【００４４】
図１６は、対物レンズ４の外向フランジ３３のマウント２１内への挿入時における、レンズマウント２１の下面側から見たレンズマウント２１と対物レンズ４の模式的底面図である。図１７は、図１６のＸＶＩＩ−ＸＶＩＩ線に沿ったレンズマウント２１と対物レンズ４の模式的断面図である。図１８は、対物レンズ４の外向フランジ３３のマウント２１内への挿入時における、図１０のＸＩＩ−ＸＩＩ線に沿ったレンズマウント２１と、レンズマウント２１に対向する対物レンズ４の外向フランジ３３の一部の模式的部分断面図である。
【００４５】
対物レンズ４の各突起部３４をマウント２１の切り欠き部２５ａに位置させた状態で、観察者が対物レンズ４をＺ方向に沿ってマウント２１へ押し付けると、各突起部３４はマウント２１の切り欠き部２５ａを通り、対物レンズ４の外向フランジ３３がマウント２１の内周溝２１ａ内に入り込む。
【００４６】
図１７及び図１８に示すように、対物レンズ４の外向フランジ３３がマウント２１の内周溝２１ａ内に入り込んだとき、各押圧部材２４の半球形状部２４ａが凹部３５に入り込む。半球形状部２４ａが凹部３５に入り込んだとき、各皿バネ２４ｄは非圧縮状態である。半球形状部２４ａが凹部３５に入り込むと、対物レンズ４の動きがわずかに規制されるので、観察者は、対物レンズ４の外向フランジ３３がマウント２１内の適切な位置に挿入されたことを認識することができる。
【００４７】
３つの位置規定ピン３６が外向フランジ３３の上面側の外周部において、各位置規定ピン３６が隣り合う２つの凹部３５の間に設けられているので、対物レンズ４がマウント２１に取り付けられるときに、いずれの突起部３４をマウント２１のいずれの切り欠き部２５ａに合わせても、対物レンズ４をマウント２１に取り付けることができる。
【００４８】
以上のように、外向フランジ３３に設けられた各凹部３５には、対応する突起部３４と切り欠き部２５ａの位置を合わせて、外向フランジ３３をマウント２１の内周部に位置させたときに、押圧部材２４の半球形状部２４ａが入り込む。
【００４９】
また、図１６に示すように、対物レンズ４の外向フランジ３３のマウント２１の内周溝２１ａ内へ挿入した状態において、外向フランジ３３の３つの位置規定ピン３６の内の一つの近傍に、マウント２１のストッパピン２６が位置する。
【００５０】
対物レンズ４の外向フランジ３３をマウント２１の内周溝２１ａ内の適切な位置に挿入した後、観察者は、対物レンズ４を中心軸O2回りの所定の方向に回動することができる。ここでは、所定の方向は、図１９において時計回りの方向Dである。
【００５１】
しかし、対物レンズ４の外向フランジ３３をマウント２１の内周溝２１ａ内の適切な位置に挿入した後、観察者は、対物レンズ４を所定の方向Dとは逆の方向にわずかに回動すると、図１６において点線Aで示すように、３つの位置規定ピン３６の内の一つがマウント２１のストッパピン２６に当接するため、対物レンズ４を所定の方向Dとは逆の方向に回動に回動させることはできない。
【００５２】
特に、３つの位置規定ピン３６が外向フランジ３３の上面側の外周部に設けられているので、３つの位置規定ピン３６のいずれかがストッパピン２６に当接して、対物レンズ４の逆方向へ回動が規制される。
【００５３】
以上のように、ズーム本体３のマウント２１に設けられた凸部であるストッパピン２６は、各突起部３４と対応する切り欠き部２５ａの位置を合わせて、外向フランジ３３をマウント２１の内周部に位置させた後、対物レンズ４の中心軸O2回りの所定の方向Dとは反対の方向に対物レンズ４を回動させたときに、凸部である位置規定ピン３６と当接する。
（対物レンズ４の外向フランジ３３の所定方向への回動）
図１９から図２２は、対物レンズ４の外向フランジ３３をマウント２１内へ挿入した後に、対物レンズ４を所定の方向に回動したときの状態を説明するための図である。
【００５４】
図１９は、対物レンズ４の外向フランジ３３をマウント２１内へ挿入した後に、対物レンズ４を所定の方向に回動したときにおける、レンズマウント２１の下面側から見たレンズマウント２１と対物レンズ４の模式的底面図である。図２０は、図１９のＸＸ−ＸＸ線に沿ったレンズマウント２１と対物レンズ４の模式的断面図である。図２１は、図１９のＸＸＩ−ＸＸＩ線に沿ったレンズマウント２１と対物レンズ４の模式的断面図である。図２２は、対物レンズ４の外向フランジ３３のマウント２１内への挿入した後に、対物レンズ４を所定の方向に回動したときにおける、図１０のＸＩＩ−ＸＩＩ線に沿ったレンズマウント２１、レンズマウント２１に対向すると対物レンズ４の外向フランジ３３の一部の模式的部分断面図である。  
なお、図２１は、図２３のＸＸＩ−ＸＸＩ線に沿ったレンズマウント２１と対物レンズ４の模式的断面も示している。
【００５５】
対物レンズ４が回動されると、３つの突起部３４は、マウント２１の内向フランジ２３と２５の間を進む。対物レンズ４が回動するとき、押圧部材２４の半球形状部２４ａは、皿バネ２４ｄにより内向フランジ２５側へ付勢されている。よって、対物レンズ４が回動するとき、図２２において点線の矢印Bで示すように、半球形状部２４ａは凹部３５の斜面に押圧された後、皿バネ２４ｄの付勢力に抗しながら、外向フランジ３３の上面３３ａに乗り上げる。そして、図２０及び図２２に示すように、半球形状部２４ａは、皿バネ２４ｄの付勢力により、外向フランジ３３の上面３３ａに接触する。このとき、各皿バネ２４ｄは圧縮状態である。従って、外向フランジ３３は、対物レンズ４に設けられ、マウント２１に係合するマウント係合部を構成する。
【００５６】
すなわち、突起部３４と切り欠き部２５ａの位置を合わせて、外向フランジ３３をマウント２１の内周部に位置させた後、対物レンズ４の中心軸O2回りの所定の方向Dに対物レンズ４を回動させて突起部３４を内周溝２１ａに沿って移動させることによって、マウント係合部である外向フランジ３３は、マウント２１に係合される。
【００５７】
観察者は、対物レンズ４を中心軸O2回りの所定の方向Dに回動していくと、観察者は、クリック感と共に、対物レンズ４の回動が規制されて停止して、対物レンズ４をマウント２１に固定することができる。
（対物レンズ４の外向フランジ３３のマウント２１への固定）
図２３から図２５は、対物レンズ４を中心軸O2回りの所定の方向Dに回動した後、対物レンズ４の回動が規制されて停止したときの状態を説明するための図である。
【００５８】
図２３は、対物レンズ４の回動が規制されて停止したときにおける、レンズマウント２１の下面側から見たレンズマウント２１と対物レンズ４の模式的底面図である。図２４は、図２３のＸＸＩＶ−ＸＸＩＶ線に沿ったレンズマウント２１と対物レンズ４の模式的断面図である。図２５は、対物レンズ４の回動が規制されて停止したときにおける、図１０のＸＩＩ−ＸＩＩ線に沿ったレンズマウント２１と、レンズマウント２１に対向する対物レンズ４の外向フランジ３３の一部の模式的部分断面図である。  
対物レンズ４を中心軸O2回りの所定の方向に回動すると、３つの位置規定ピン３６の１つが位置決めピン２７に当接して、対物レンズ４の回動は停止する。
【００５９】
１つの位置規定ピン３６が位置決めピン２７に当接したとき、３つの押圧部材２４の少なくとも１つの半球形状部２４ａは、凹部３７の斜面上に係止された状態にある。言い換えれば、１つの位置規定ピン３６が位置決めピン２７に当接したときに、３つの押圧部材２４の少なくとも１つの半球形状部２４ａは、凹部３７の底部に到達しないで、凹部３７の斜面の途中で停止するように、半球形状部２４ａと位置決めピン２７は内向フランジ２３に形成され、位置決めピン３６と凹部３７は外向フランジ３３に形成される。図２５の凹部３７の斜面上の点P1において、半球形状部２４ａは停止している。
【００６０】
１つの位置規定ピン３６が位置決めピン２７に当接する直前に、図２５の点線Cで示すように、１つの半球形状部２４ａは外向フランジ３３の上面を移動した後、凹部３７の外周部から斜面に移動する。１つの位置規定ピン３６が凹部３７の外周部から斜面に移動するとき、ユーザは、クリック感を感じることができる。
【００６１】
よって、押圧部材２４の少なくとも１つの半球形状部２４ａは、ズーム本体３のマウント２１に設けられ、マウント係合部である外向フランジ３３がマウント２１に係合したときにバネ力で付勢される部材であって、凸部としての位置規定ピン３６が、凸部としての位置決めピン２７に当接する前に、すなわち直前に、バネ力により凹部３７に入り込む被付勢部材を構成する。
【００６２】
また、被付勢部材である１つの半球形状部２４ａが、凹部３７の底部に到達しないで、凹部３７の斜面の途中で停止しているので、押圧部材２４の付勢力により、対物レンズ４を、中心軸O2回りにガタつかないように、マウント２１に固定することができる。  以上は、対物レンズ４のマウント２１への取り付けの方法を説明したが、対物レンズ４のマウント２１からの取り外しは、上述した手順の逆の手順により行われる。対物レンズ４を取り付け時の回動方向である所定の方向Dとは反対の方向に回動させると、半球形状部２４ａは、凹部３７から外れる。その後、対物レンズ４の外向フランジ３３の突起部３４が切り欠き部２５ａの位置にきたときに、対物レンズ４を、マウント２１の下方へ移動させることにより、対物レンズ４をマウント２１から取り外すことができる。
【００６３】
以上のように、上述した実施の形態によれば、対物レンズ４の交換が簡単な顕微鏡を提供することができる。
（変形例１）
上述した実施の形態の顕微鏡１００では、マウント２１は、ズーム本体３の下面に固定されているが、顕微鏡のマウントは交換式にしてもよい。すなわち、マウント２１は、顕微鏡本体であるズーム本体３に対して取り外し可能な構成を有するようにしてもよい。  
マウントが交換式であると、マウント２１に代えて、螺子込み式の対物レンズを取り付けることができるマウントをズーム本体３に交換すれば、顕微鏡では、従来型の螺子込み式の対物レンズと、上述したようなワンタッチ式の対物レンズの２種類の対物レンズを使用可能にすることができる。
（変形例２）
上述した実施の形態では、突起部３４等を有する外向フランジ３３が対物レンズ４の鏡筒３１に形成されているが、係合部である外向フランジ３３は、対物レンズ４とは別体とし、外向フランジ３３は対物レンズ４の鏡筒３１に取り付けられるようにしてもよい。すなわち、マウント係合部としての外向フランジ３３は、対物レンズ４に対して取り外し可能な構成を有するようにしてもよい。
【００６４】
特に、外向フランジ３３を、従来型の螺子込み式の対物レンズに取り付け可能にすれば、従来型の対物レンズを、上述したマウント２１にワンタッチで取り外し及び取り付けすることができる。
（変形例３）
さらに、マウント２１を、従来型の螺子込み式の対物レンズに対応する従来型の顕微鏡の螺子込み式のマウントに取り付け可能な構成とし、かつ、上述した突起部３４付きの外向フランジ３３を、変形例２のように対物レンズに取り付け可能な構成にしてもよい。
【００６５】
そのような構成によれば、従来型の螺子込み式の対物レンズを、従来型の顕微鏡に取り付けて利用できるだけでなく、上述したマウント２１を有する顕微鏡にも取り付けて利用できると共に、上述した実施の形態の対物レンズ４を、従来型の顕微鏡に取り付けて利用することも可能となる。
（変形例４）
対物レンズには、照明部が設けられているものがある。図２６は、リング照明部付きの対物レンズの構成を示す対物レンズ４Aの側面図である。対物レンズ４Aの先端側に、リング照明部４１が、図示しない螺子などで固定可能となっている。リング照明部４１は、対物レンズ４に対して取り外し可能である。リング照明部４１は、リング照明部４１が対物レンズ４Aに固定されたときに被写体を照明するための複数の発光素子、ここでは発光ダイオード（以下、LEDという）４２を有している。
【００６６】
さらに、リング照明部４１には、複数のLED４２へ電源を供給するための電源用のケーブル４３が設けられている。ケーブル４３の先端には、コネクタ４４が設けられている。
【００６７】
従来の螺子込み式の対物レンズが照明付きの対物レンズである場合、対物レンズの取り外しあるいは取り付けを行うときには、対物レンズを何回も回動させなければならない。そのため、照明用のケーブル４３の先端のコネクタ４４を、顕微鏡用架台１あるいはズーム本体３に設けられたコネクタ（図示せず）から抜いて、コネクタ４４を顕微鏡用架台１から取り外してから、あるいはリング照明部４１を対物レンズ４Aから取り外してから、対物レンズ４Aの取り外しあるいは取り付けを行わなければならないので、そのような作業手順の遵守という煩雑さがあった。
【００６８】
これに対して、上述した実施の形態及び各変形例の顕微鏡の場合、対物レンズの回動量が少ないため、ケーブル４３のコネクタ４４を顕微鏡用架台１から取り外してから、あるいはリング照明部４１を対物レンズ４Aから取り外してから、対物レンズ４Aの取り外しあるいは取り付けを行うことができるので、従来のような煩雑さはない。
【００６９】
以上のように、上述した実施の形態及び各変形例によれば、対物レンズの交換が簡単な顕微鏡を提供することができる。
【００７０】
本発明は、上述した実施の形態に限定されるものではなく、本発明の要旨を変えない範囲において、種々の変更、改変等が可能である。
【符号の説明】
【００７１】
１  顕微鏡用架台、１ａ  ベース部、１ａ１  穴部、１ｂ  支柱部、２  焦準装置、２ａ  固定部、２ｂ  可動部、２ｃ  焦準ハンドル、３  ズーム本体、３ａ  ズームハンドル、４、４A  対物レンズ、５  鏡筒、６  接眼レンズ、７  ガラスプレート、８  試料、
９  光指向部材、１０  面光源、１１  電源、２１  レンズマウント、２１ａ  内周溝、２２  螺子部、２２ａ  凸部、２３  内向フランジ、２３ａ  孔、２３ｂ  段差部、２４  押圧部材、２４ａ  半球形状部、２４ｂ  ナット、２４ｃ  軸部材、２４ｄ  皿バネ、２５  内向フランジ、２５ａ  切り欠き部、２６  ストッパピン、２７  位置決めピン、３１  鏡筒、３１ａ  板部材、３２  レンズ、３３  外向フランジ、３３ａ  上面、３４  突起部、３５  凹部、３６  位置規定ピン、３７  凹部、４１  リング照明部、４３  ケーブル、４４  コネクタ、１００  顕微鏡。
【図１】
2016170344.tif 000003
【図２】
2016170344.tif 000004
【図３】
2016170344.tif 000005
【図４】
2016170344.tif 000006
【図５】
2016170344.tif 000007
【図６】
2016170344.tif 000008
【図７】
2016170344.tif 000009
【図８】
2016170344.tif 000010
【図９】
2016170344.tif 000011
【図１０】
2016170344.tif 000012
【図１１】
2016170344.tif 000013
【図１２】
2016170344.tif 000014
【図１３】
2016170344.tif 000015
【図１４】
2016170344.tif 000016
【図１５】
2016170344.tif 000017
【図１６】
2016170344.tif 000018
【図１７】
2016170344.tif 000019
【図１８】
2016170344.tif 000020
【図１９】
2016170344.tif 000021
【図２０】
2016170344.tif 000022
【図２１】
2016170344.tif 000023
【図２２】
2016170344.tif 000024
【図２３】
2016170344.tif 000025
【図２４】
2016170344.tif 000026
【図２５】
2016170344.tif 000027
【図２６】
2016170344.tif 000028